(57)【要約】【課題】ユーザに煩雑な操作を強いることなく簡易に無線ＬＡＮの設定を行い得る情報携帯端末装置、無線通信システム、無線ＬＡＮへの設定方法、及びプログラムを提供すること。【解決手段】無線ＬＡＮアクセスポイントから一定時間間隔でビーコンパケットが無線送信される。携帯電話端末はこのビーコンパケットを受信し、パケットのＳＳＩＤに含まれる情報サーバのメールアドレスを取得する。そして、携帯電話端末はこのメールアドレスを用いて無線ＬＡＮへの設定情報を取得するための要求メールを情報サーバに無線送信する。携帯電話端末は情報サーバから送信される設定情報に基づいて無線ＬＡＮへの設定を行う。【選択図】  図１
2006332863.tif 000002
【特許請求の範囲】
【請求項１】
無線ＬＡＮアクセスポイントから一定時間間隔で無線送信される定期情報を受信する第１の無線通信手段と、
前記定期情報に含まれる情報サーバの識別子を取得する設定手段と、
前記設定手段で取得した前記識別子に基づいて、前記情報サーバに対して前記無線ＬＡＮアクセスポイントを介して無線ＬＡＮに接続するための設定情報の取得を要求する取得要求情報を無線送信する第２の無線通信手段と、
を備え、前記設定手段は前記取得要求により前記第２の無線通信手段で無線受信した前記設定情報に基づいて前記無線ＬＡＮに接続するための設定を行うことを特徴とする情報携帯端末装置。
【請求項２】
前記情報サーバの識別子は前記定期情報のうち前記各無線ＬＡＮアクセスポイントを識別するためのアクセスポイント識別情報が格納される領域に含まれる、ことを特徴とする請求項１記載の情報携帯端末装置。
【請求項３】
前記情報サーバの識別子は前記情報サーバのメールアドレスである、ことを特徴とする請求項１記載の情報携帯端末装置。
【請求項４】
一定時間間隔で定期情報を無線送信する無線ＬＡＮアクセスポイントと、
前記無線ＬＡＮアクセスポイントを介して無線ＬＡＮに接続するための設定情報が記憶された情報サーバと、
前記無線ＬＡＮアクセスポイントから受信した定期情報に含まれる情報サーバの識別子を取得して、前記識別子に基づいて前記情報サーバに対し前記設定情報の取得を要求する取得要求情報を無線送信するとともに、前記取得要求情報により無線受信した前記設定情報に基づいて前記無線ＬＡＮに接続するための設定を行う情報携帯端末と、
を備えることを特徴とする無線通信システム。
【請求項５】
無線ＬＡＮアクセスポイントから一定時間間隔で無線送信される定期情報を受信し、
前記定期情報に含まれる情報サーバの識別子を取得し、
取得した前記識別子に基づいて、前記情報サーバに対して前記無線ＬＡＮアクセスポイントを介して無線ＬＡＮに接続するための設定情報の取得を要求する取得要求情報を無線送信し、
前記取得要求情報により無線受信した前記設定情報に基づいて前記無線ＬＡＮに接続するための設定を行う、
ことを特徴とする無線ＬＡＮへの設定方法。
【請求項６】
無線ＬＡＮアクセスポイントから一定時間間隔で無線送信される定期情報を第１の無線通信手段で受信する処理と、
前記定期情報に含まれる情報サーバの識別子を取得する処理と、
取得した前記識別子に基づいて、前記情報サーバに対して前記無線ＬＡＮアクセスポイントを介して無線ＬＡＮに接続するための設定情報の取得を要求する取得要求情報を第２の無線送信手段から無線送信する処理と、
前記取得要求情報により前記第２の無線通信手段で無線受信した前記設定情報に基づいて前記無線ＬＡＮに接続するための設定を行う処理と、
をコンピュータに実行させることを特徴とするプログラム。
【発明の詳細な説明】
【技術分野】
【０００１】
本発明は、情報携帯端末装置、及び無線通信システムに関する。詳しくは、携帯電話網を利用して無線ＬＡＮの設定を簡易に行う情報携帯端末装置等に関する。
【背景技術】
【０００２】
近年、街頭や駅などで、携帯電話やノート型パソコンなどの情報携帯端末装置を無線ＬＡＮ（Local Area Network）によりインターネットに接続することのできるサービスが提供されている。
【０００３】
このようなサービスを利用するには、無線ＬＡＮの設定に合わせて、複数のパラメータを情報携帯端末装置で設定する必要がある。従来、このような設定は手動で行われていた。
【０００４】
一方で、利用者端末においてＧＰＳなどの機能を利用して位置情報を取得し、その情報から利用者端末の現在位置に近い複数のアクセスポイントをセンタ装置から取得して選択し、そして、選択されたアクセスポイントに接続するために必要なパラメータをセンタ装置から取得して設定するものが開示されている（例えば、以下の特許文献１）。
【０００５】
また、無線端末においてホットスポットからホットスポット識別子を取得して設定情報管理装置に接続し、その識別子に応じた設定情報を設定情報管理装置から受信し、その設定情報に基づいてホットスポットへの無線接続を行うようにしたものも開示される（例えば、以下の特許文献２）。
【特許文献１】特開２００４−２３５９７６号公報
【特許文献２】特開２００４−７２５４６号公報
【発明の開示】
【発明が解決しようとする課題】
【０００６】
しかしながら、複数のパラメータを手動で設定することは、入力する文字数等が多くなりユーザに煩雑な操作を強いることになる。特に、携帯電話は表示画面が小さく、入力キーの数も制限されることから、その操作は非常に煩雑である。
【０００７】
また、情報携帯端末装置を異なる無線ＬＡＮサービスエリアに移動させると、無線ＬＡＮの設定が異なるため、設定の内容を変更する必要がある。更に、保守作業で設定に変更が生じると再設定を行わなければならない。
【０００８】
一方、上述の特開２００４−２３５９７６号では、選択すべきアクセスポイントが複数あるとユーザにとって不要なアクセスポイントまで表示される可能性があり、その中からアクセスポイントを選択することはユーザに複雑な操作を強いる結果となる。特に、携帯電話など表示画面が小さいと画面に全てのアクセスポイントが表示されずに使い勝手が良くない。
【０００９】
また、上述の特開２００４−７２５４６号では、ホットスポットの識別子として無線基地局のメディアアクセスコントロール（ＭＡＣ）アドレスを用いているため、故障等で無線基地局が交換されるとＭＡＣアドレスも異なるものとなり、設定情報管理装置に接続することができずに設定情報を取得できなくなってしまう。更に、一台の設定情報管理装置ですべてのホットスポットの設定情報を管理する必要があるため、管理者に負担を強いることになる。更には、設定情報管理装置に接続するための情報を無線端末に保持する必要があるため、その分メモリの容量が増大して無線端末のコストアップにも繋がる。
【００１０】
そこで、本発明は上記問題点に鑑みてなされたもので、その目的は、ユーザに煩雑な操作を強いることなく簡易に無線ＬＡＮの設定を行い得る情報携帯端末装置、及び無線通信システムを提供することにある。
【課題を解決するための手段】
【００１１】
上記目的を達成するために、本発明は、無線ＬＡＮアクセスポイントから一定時間間隔で無線送信される定期情報を受信する第１の無線通信手段と、前記定期情報に含まれる情報サーバの識別子を取得する設定手段と、前記設定手段で取得した前記識別子に基づいて、前記情報サーバに対して前記無線ＬＡＮアクセスポイントを介して無線ＬＡＮに接続するための設定情報の取得を要求する取得要求情報を無線送信する第２の無線通信手段と、を備え、前記設定手段は前記取得要求により前記第２の無線通信手段で無線受信した前記設定情報に基づいて前記無線ＬＡＮに接続するための設定を行う情報携帯端末装置であることを特徴としている。
【００１２】
また、本発明は、前記情報サーバの識別子は前記定期情報のうち前記各無線ＬＡＮアクセスポイントを識別するためのアクセスポイント識別情報が格納される領域に含まれる、ことを特徴としている。
【００１３】
更に、本発明は、前記定期情報はビーコンパケットであって、前記情報サーバの識別子は前記ビーコンパケットのうち前記各無線ＬＡＮアクセスポイントを識別するためのアクセスポイント識別情報が格納される領域に含まれる、ことを特徴としている。
【００１４】
更に、本発明は、前記情報サーバの識別子は前記情報サーバのメールアドレスである、ことを特徴としている。
【００１５】
更に、本発明は、前記情報サーバの識別子は暗号化され、前記設定手段は前記第１の無線通信手段で受信した前記定期情報から暗号化された前記情報サーバの識別子を復号化する、ことを特徴としている。
【００１６】
更に、本発明は、前記設定手段は、第２の無線通信手段に対して前記取得要求情報に前記各情報携帯端末装置を識別するための端末識別情報を含ませて前記情報サーバに送信するよう制御する、ことを特徴としている。
【００１７】
更に、本発明は、前記設定手段は、前記取得要求情報に更に前記情報携帯端末装置を使用する使用者の使用者情報を含ませて送信するよう前記第２の無線通信手段を制御する、ことを特徴としている。
【００１８】
更に、本発明は、前記設定情報には、前記無線ＬＡＮアクセスポイントと前記第２の無線通信手段との間で行われる無線通信情報を暗号化するための暗号化情報を含む、ことを特徴としている。
【００１９】
更に、本発明は、前記設定情報には、前記情報携帯端末装置のＩＰアドレスを含む、ことを特徴としている。
【００２０】
また、上記目的を達成するために本発明は、一定時間間隔で定期情報を無線送信する無線ＬＡＮアクセスポイントと、前記無線ＬＡＮアクセスポイントを介して無線ＬＡＮに接続するための設定情報が記憶された情報サーバと、前記無線ＬＡＮアクセスポイントから受信した定期情報に含まれる情報サーバの識別子を取得して、前記識別子に基づいて前記情報サーバに対し前記設定情報の取得を要求する取得要求情報を無線送信するとともに、前記取得要求情報により無線受信した前記設定情報に基づいて前記無線ＬＡＮに接続するための設定を行う情報携帯端末と、を備える無線通信システムであることを特徴とする。
【００２１】
更に、上記目的を達成するために本発明は、各情報携帯端末が無線ＬＡＮに接続するための設定情報を記憶する情報サーバの識別子を定期情報に含ませて、当該定期情報を一定時間間隔で無線送信する無線ＬＡＮアクセスポイントであることを特徴とする。
【００２２】
更に、上記目的を達成するために本発明は、無線ＬＡＮアクセスポイントから一定時間間隔で無線送信される定期情報を受信し、前記定期情報に含まれる情報サーバの識別子を取得し、取得した前記識別子に基づいて、前記情報サーバに対して前記無線ＬＡＮアクセスポイントを介して無線ＬＡＮに接続するための設定情報の取得を要求する取得要求情報を無線送信し、前記取得要求情報により無線受信した前記設定情報に基づいて前記無線ＬＡＮに接続するための設定を行う、無線ＬＡＮへの設定方法であることを特徴としている。
【００２３】
更に、上記目的を達成するために本発明は、無線ＬＡＮアクセスポイントから一定時間間隔で定期情報を無線送信し、前記無線ＬＡＮアクセスポイントから受信した定期情報に含まれる情報サーバの識別子を情報携帯端末装置で取得して、前記識別子に基づいて情報サーバに対し前記無線ＬＡＮアクセスポイントを介して無線ＬＡＮに接続するための前記設定情報の取得を要求する取得要求情報を前記情報携帯端末装置から無線送信し、前記取得要求情報に基づいて情報サーバから前記設定情報を無線送信し、前記設定情報に基づいて前記無線ＬＡＮに接続するための設定を前記情報携帯端末装置で行う、無線ＬＡＮの設定方法であることを特徴とする。
【００２４】
更に、上記目的を達成するために本発明は、無線ＬＡＮアクセスポイントから一定時間間隔で無線送信される定期情報を第１の無線通信手段で受信する処理と、前記定期情報に含まれる情報サーバの識別子を取得する処理と、取得した前記識別子に基づいて、前記情報サーバに対して前記無線ＬＡＮアクセスポイントを介して無線ＬＡＮに接続するための設定情報の取得を要求する取得要求情報を第２の無線送信手段から無線送信する処理と、前記取得要求情報により前記第２の無線通信手段で無線受信した前記設定情報に基づいて前記無線ＬＡＮに接続するための設定を行う処理と、をコンピュータに実行させるプログラムであることを特徴とする。
【発明の効果】
【００２５】
本発明によれは、ユーザに煩雑な操作を強いることなく簡易に無線ＬＡＮの設定を行い得る情報携帯端末装置、及び無線通信システムを提供することができる。
【発明を実施するための最良の形態】
【００２６】
以下、図面を参照して本発明を実施するための最良の形態を説明する。
【００２７】
図１は、本発明が適用される無線通信システム１の一例である。無線通信システム１は、移動可能な情報携帯端末装置の一例としての携帯電話端末１０と、無線ＬＡＮアクセスポイント２０と、情報サーバ４０とから略構成される。
【００２８】
携帯電話端末１０は、無線ＬＡＮアクセスポイント２０との間で通信を行うアンテナ１１と、無線ＬＡＮ２２への接続等を行う無線ＬＡＮ制御部１２と、携帯電話網３３との間で通信を行うためのアンテナ１３と、携帯電話網３３への接続等を行う携帯電話網制御部１４、及び無線ＬＡＮ制御部１２に対して無線ＬＡＮ２２接続のための設定等を行うための簡易設定部１５とから構成される。
【００２９】
ここで、無線ＬＡＮ制御部１２はアンテナ１１に接続されるとともに簡易設定部１５にも接続され、携帯電話網制御部１４はアンテナ１３に接続されるとともに簡易設定部１５にも接続される。
【００３０】
無線ＬＡＮアクセスポイント２０は、アンテナ１１との間で通信を行うためのアンテナ２１に接続されるとともに、無線ＬＡＮ２２にも接続される。無線ＬＡＮアクセスポイント２０は、携帯電話端末１０と無線ＬＡＮ２２との間でデータ通信を中継する。
【００３１】
本実施例では、携帯電話端末１０と無線ＬＡＮアクセスポイント２０との間の無線通信は、ＩＥＥＥ８０２．１１に従う。よって、無線ＬＡＮ制御部１２と無線ＬＡＮアクセスポイント２０は共にこの規格に従って無線通信する機能を備える。
【００３２】
一方、情報サーバ４０は、携帯電話網３３と接続され、この携帯電話網３３を介して携帯電話端末１０との間でデータ通信が行われる。そして、この情報サーバ４０には、パラメータ格納部４１を内部に備え、携帯電話端末１０が無線ＬＡＮアクセスポイント２０を介して無線ＬＡＮ２２に接続するための接続情報である複数のパラメータが格納される。このパラメータの詳細は後述する。
【００３３】
なお、携帯電話網３３には、携帯電話網３３と携帯電話端末１０とを中継する中継装置３２が接続され、更にこの中継装置３２には携帯電話端末１０のアンテナ１３との間で通信を行うためのアンテナ３１が接続される。
【００３４】
このように構成された無線通信システム１における、無線ＬＡＮ２２への設定を含む動作について以下説明する。図２は、携帯電話端末１０で実行されるフローチャートである。
【００３５】
まず、本処理が開始されると（Ｓ１０）、携帯電話端末１０の簡易設定部１５はビーコンパケットを受信したか否か判断する（Ｓ１１）。ビーコンパケットとは、無線ＬＡＮアクセスポイント２０からアンテナ２１を介し一定範囲内で定期的に送信されるパケットである。
【００３６】
ビーコンパケットの例を図３（Ａ）に示す。このビーコンパケットにはＳＳＩＤ（Service Set Identifier）と呼ばれる識別子が格納される。ＳＳＩＤは無線ＬＡＮ２２におけるネットワークの識別子であり、同じＳＳＩＤを持つ携帯電端末１０が無線ＬＡＮアクセスポイント２０を介して無線ＬＡＮ２２にアクセスすることができる。
【００３７】
本発明では、このＳＳＩＤ（特にＥＳＳＩＤ（Extended Service Set Identifier））に情報サーバ４０にアクセスするための識別子、例えば、情報サーバ４０のメールアドレスを追加している。携帯電話端末１０が情報サーバ４０に接続できるようにするためである。情報サーバ４０の識別子は、メールアドレス以外にも例えば情報サーバのＩＰアドレスでもよい。
【００３８】
図３（Ａ）の例では、ＳＳＩＤには「ＡＰ１‐ｎｅｔａｄｍｉｎ＠ｓｅｒｖｅｒ．ｃｏｍ」が格納される。このうち、「ｎｅｔａｄｍｉｎ＠ｓｅｒｖｅｒ．ｃｏｍ」が情報サーバ４０のメールアドレスである。「ＡＰ１」は、本来ＳＳＩＤとしてこのビーコンパケットに格納されるもので、無線ＬＡＮアクセスポイント２０固有の識別子である。
【００３９】
本実施例では、この「ＡＰ１」を情報サーバ４０のメールアドレスに付加しているが、情報サーバ４０のメールアドレスのみ格納されたＳＳＩＤでもよい。また、このメールアドレスは暗号化されてもよい。本無線通信システム１におけるセキュリティを確保するためである。
【００４０】
図２に戻り、無線ＬＡＮ制御部１２でビーコンパケットを受信しないと（Ｓ１１でＮＯ）、簡易設定部１５は受信するまで待つ。一方、ビーコンパケットを受信すると（Ｓ１１でＹＥＳ）、簡易設定部１５は無線ＬＡＮ制御部１２で受信したビーコンパケットから情報サーバ４０のメールアドレスを取得する（Ｓ１２）。なお、メールアドレスが暗号化されていれば、簡易設定部１５又は無線ＬＡＮ制御部１２で復号化する。
【００４１】
次いで、簡易設定部１５は情報サーバ４０に対してパラメータの取得要求を送信する（Ｓ１３）。具体的には、簡易設定部１５は、取得したメールアドレスを携帯電話網制御部１４に出力するとともにパラメータ取得要求を送信するよう携帯電話網制御部１４に制御命令を出力する。携帯電話網制御部１４はこれらの情報を基にメールを生成し情報サーバ４０へ送信する。なお、簡易設定部１５は、このメールに携帯電話端末１０を識別するためのＩＤを含ませて送信されるように、携帯電話網制御部１４に制御命令を出力してもよい。
【００４２】
次いで、簡易設定部１５は、情報サーバ４０から無線ＬＡＮ２２へ接続するためのパラメータを取得する（Ｓ１４）。情報サーバ４０には前述したように複数のパラメータを格納したパラメータ格納部４１を備える。その例を図３（Ｂ）に示す。
【００４３】
パラメータ格納部４１には、各携帯電話端末１０を識別するためのＩＤ、４種類のＷＥＰ（Wired Equivalent Privacy）キー、携帯電話端末１０のＩＰアドレスとＤＮＳサーバのアドレス、ユーザＩＤ、パスワード等が格納される。例えば、パラメータ取得要求に含まれる端末１０を識別するためのＩＤを検索キーにして、ＷＥＰ等が検索される。
【００４４】
これらのパラメータのうち、ＷＥＰキーとは、携帯電話端末１０と無線ＬＡＮアクセスポイント２０との間で無線通信されるデータを暗号化するための暗号化キーである。４種類あるのはこの無線通信システム１のセキュリティを確保するためである。
【００４５】
情報サーバ４０は、これら複数のパラメータを、携帯電話網３３を介して応答メールとして携帯電話端末１０に送信する。送信されたメールは携帯電話網制御部１４で受信し、取得したパラメータが簡易設定部１５に入力される。
【００４６】
なお、情報サーバ４０は、これらのパラメータを携帯電話端末１０に送信する前に、携帯電話端末１０の使用者の正当性を確認するため、認証の処理を行うようにしてもよい。
【００４７】
例えば、携帯電話端末１０から送信されるパラメータの要求メールの中に、ユーザＩＤやパスワードを含ませるようにし、情報サーバ４０はパラメータ格納部４１のユーザＩＤ等と一致する、しない旨の確認メールを携帯電話端末１０に送信する。情報サーバ４０は、携帯電話端末１０からこの確認メールに対する応答のメールが届いたときにパラメータを含むメールを送信する。
【００４８】
次いで、簡易設定部１５は無線ＬＡＮ２２接続のための設定を行う（Ｓ１５）。即ち、簡易設定部１５は取得したパラメータを無線ＬＡＮ制御部１２に出力し、無線ＬＡＮ制御部１２で保持する設定情報領域に格納する。パラメータが格納される設定情報領域は、例えば、ＲＡＭなどのメモリに存在する。
【００４９】
次いで、簡易設定部１５は、設定されたパラメータに基づいて無線ＬＡＮアクセスポイント２０への接続を行う（Ｓ１６）。なお、この際携帯電話端末１０は無線ＬＡＮアクセスポイント２０との間で接続認証が行われる。つまり、携帯電話端末１０から接続要求のための情報を送信する。
【００５０】
この情報の中には、取得したパラメータのうち、ＷＥＰキーやユーザＩＤ、パスワードが含まれ、無線ＬＡＮアクセスポイント２０は、保持するＷＥＰキー等と一致すれば接続完了のための情報を出力する。接続完了の情報を携帯電話端末１０が受信することにより、接続が完了する。このとき、携帯電話端末１０の表示画面には、例えば接続完了を示す内容が表示される。この内容表示によりユーザは無線ＬＡＮ２２への接続が可能になったことを知る。
【００５１】
そして、以後、携帯電話端末１０は無線ＬＡＮアクセスポイント２０を介して無線ＬＡＮ２２に接続可能となる。
【００５２】
次いで、携帯電話端末１０は電源オフ等により無線ＬＡＮ２２への接続を切断すると（Ｓ１７でＹＥＳ）、一連の処理が終了し（Ｓ１８）、接続が切断されないと無線ＬＡＮ２２への接続が維持される（Ｓ１７でＮＯ）。
【００５３】
このように、ユーザは主としてパラメータ取得のための要求メールを送信するための操作と、無線ＬＡＮ２２の接続確認の画面操作だけである。従って、無線ＬＡＮ２２への接続のための設定を行うとき、多くの文字数を入力する必要がないため、ユーザに操作負担を強いることなく簡易に設定を行うことができる。更に、設定パラメータの入力ミスや無線ＬＡＮ２２への接続障害も少なくすることができる。更に、情報サーバ４０へ接続するためのメールアドレスは無線ＬＡＮアクセスポイント２０から受信でき、このアドレス自体を携帯電話端末１０で保持する必要がないため、メモリ容量の削減を図り、端末１０自体のコストダウンを図ることができる。
【００５４】
図３に示すパラメータは一部であって、ＷＥＰキーやユーザＩＤ等のセキュリティ設定のためのパラメータやＩＰアドレス、ＤＮＳアドレス以外にも、電源管理や性能調整のためのパラメータがあってもよい。
【００５５】
例えば、ビーコンパケットの送出される時間間隔を示すビーコン間隔や、無線ＬＡＮアクセスポイント２０から送出されるデータ量の閾値を示すフラグメント閾値等などがある。これらのパラメータの時間等を携帯電話端末１０で任意に設定することで、端末１０自体の消費電力を抑えることができる。例えば、ビーコン間隔を大きな値に設定して、無線ＬＡＮ制御部１２の電源を切っている時間を長くすることで消費電力を抑えるようにする。
【００５６】
また、上述した例は一つの無線ＬＡＮアクセスポイント２０に対して一つの情報サーバ４０でそのパラメータを管理するようにしていたが、例えば、図４に示すように一つのホットスポット２５に複数の無線ＬＡＮアクセスポイント２０１、２０２が存在し、これらのアクセスポイント２０１、２０２に対するパラメータを一台の情報サーバ４０で管理するようにしてもよい。即ち、ホットスポット２５ごとに情報サーバ４０が存在する無線通信システム１である。更には、複数のホットスポット２５単位に一台の情報サーバ４０でそのパラメータを管理するようにしてもよい。これらの場合でも、情報サーバ４０に格納されるパラメータの種類は上述の例と同様である。
【００５７】
尚、全てのホットスポットに対して一台の情報サーバ４０でそのパラメータを管理することは、情報サーバ４０の管理者に負担を強いることになるので好ましい例とは言えない。
【００５８】
更に、上述した例は、携帯電話端末１０と無線ＬＡＮアクセスポイント２０との間の無線通信はＩＥＥＥ８０２．１１の方式を用いた。勿論、それ以外にもＩＥＥＥ８０２．１ｂやＩＥＥＥ８０２．１１ａ、Ｂｌｕｅｔｏｏｔｈなどの方式でもよい。これら場合でも上述の例と同様の作用効果を奏する。
【００５９】
更に、上述した例では、暗号化キーとしてＷＥＰキーを例にして説明したが、それ以外にも、一定時間でそのキーが更新されるＷＰＡ（Wi-Fi Protected Access）を用いてもよい。
【００６０】
更に、上述した例は、情報携帯端末装置として携帯電話端末１０の例で説明した。勿論、それ以外にもノート型パーソナルコンピュータやＰＤＡ（Personal Digital Assistance）などであっても、上述した例と同様の作用効果を奏する。
【００６１】
以上まとめると付記のようになる。
【００６２】
（付記１）
無線ＬＡＮアクセスポイントから一定時間間隔で無線送信される定期情報を受信する第１の無線通信手段と、
前記定期情報に含まれる情報サーバの識別子を取得する設定手段と、
前記設定手段で取得した前記識別子に基づいて、前記情報サーバに対して前記無線ＬＡＮアクセスポイントを介して無線ＬＡＮに接続するための設定情報の取得を要求する取得要求情報を無線送信する第２の無線通信手段と、
を備え、前記設定手段は前記取得要求により前記第２の無線通信手段で無線受信した前記設定情報に基づいて前記無線ＬＡＮに接続するための設定を行うことを特徴とする情報携帯端末装置。
【００６３】
（付記２）
前記情報サーバの識別子は前記定期情報のうち前記各無線ＬＡＮアクセスポイントを識別するためのアクセスポイント識別情報が格納される領域に含まれる、ことを特徴とする付記１記載の情報携帯端末装置。
【００６４】
（付記３）
前記定期情報はビーコンパケットであって、前記情報サーバの識別子は前記ビーコンパケットのうち前記各無線ＬＡＮアクセスポイントを識別するためのアクセスポイント識別情報が格納される領域に含まれる、ことを特徴とする付記１記載の情報携帯端末装置。
【００６５】
（付記４）
前記情報サーバの識別子は前記情報サーバのメールアドレスである、ことを特徴とする付記１記載の情報携帯端末装置。
【００６６】
（付記５）
前記情報サーバの識別子は暗号化され、前記設定手段は前記第１の無線通信手段で受信した前記定期情報から暗号化された前記情報サーバの識別子を復号化する、ことを特徴とする付記１記載の情報携帯端末装置。
【００６７】
（付記６）
前記設定手段は、第２の無線通信手段に対して前記取得要求情報に前記各情報携帯端末装置を識別するための端末識別情報を含ませて前記情報サーバに送信するよう制御する、ことを特徴とする付記１記載の情報携帯端末装置。
【００６８】
（付記７）
前記設定手段は、前記取得要求情報に更に前記情報携帯端末装置を使用する使用者の使用者情報を含ませて送信するよう前記第２の無線通信手段を制御する、ことを特徴とする付記６記載の情報携帯端末装置。
【００６９】
（付記８）
前記設定情報には、前記無線ＬＡＮアクセスポイントと前記第２の無線通信手段との間で行われる無線通信情報を暗号化するための暗号化情報を含む、ことを特徴とする付記１記載の情報携帯端末装置。
【００７０】
（付記９）
前記設定情報には、前記情報携帯端末装置のＩＰアドレスを含む、ことを特徴とする付記１記載の情報携帯端末装置。
【００７１】
（付記１０）
一定時間間隔で定期情報を無線送信する無線ＬＡＮアクセスポイントと、
前記無線ＬＡＮアクセスポイントを介して無線ＬＡＮに接続するための設定情報が記憶された情報サーバと、
前記無線ＬＡＮアクセスポイントから受信した定期情報に含まれる情報サーバの識別子を取得して、前記識別子に基づいて前記情報サーバに対し前記設定情報の取得を要求する取得要求情報を無線送信するとともに、前記取得要求情報により無線受信した前記設定情報に基づいて前記無線ＬＡＮに接続するための設定を行う情報携帯端末と、
を備えることを特徴とする無線通信システム。
【００７２】
（付記１１）
各情報携帯端末が無線ＬＡＮに接続するための設定情報を記憶する情報サーバの識別子を定期情報に含ませて、当該定期情報を一定時間間隔で無線送信する無線ＬＡＮアクセスポイント。
【００７３】
（付記１２）
無線ＬＡＮアクセスポイントから一定時間間隔で無線送信される定期情報を受信し、
前記定期情報に含まれる情報サーバの識別子を取得し、
取得した前記識別子に基づいて、前記無線ＬＡＮアクセスポイントを介して無線ＬＡＮに接続するための設定情報の取得を要求する取得要求情報を前記情報サーバに無線送信し、
前記取得要求情報により無線受信した前記設定情報に基づいて前記無線ＬＡＮに接続するための設定を行う、
ことを特徴とする無線ＬＡＮへの設定方法。
【００７４】
（付記１３）
無線ＬＡＮアクセスポイントから一定時間間隔で定期情報を無線送信し、
前記無線ＬＡＮアクセスポイントから受信した定期情報に含まれる情報サーバの識別子を情報携帯端末装置で取得して、前記識別子に基づいて情報サーバに対し前記無線ＬＡＮアクセスポイントを介して無線ＬＡＮに接続するための前記設定情報の取得を要求する取得要求情報を前記情報携帯端末装置から無線送信し、
前記取得要求情報に基づいて情報サーバから前記設定情報を無線送信し、
前記設定情報に基づいて前記無線ＬＡＮに接続するための設定を前記情報携帯端末装置で行う、
ことを特徴とする無線ＬＡＮの設定方法。
【００７５】
（付記１４）
無線ＬＡＮアクセスポイントから一定時間間隔で無線送信される定期情報を第１の無線通信手段で受信する処理と、
前記定期情報に含まれる情報サーバの識別子を取得する処理と、
取得した前記識別子に基づいて、前記情報サーバに対して前記無線ＬＡＮアクセスポイントを介して無線ＬＡＮに接続するための設定情報の取得を要求する取得要求情報を第２の無線送信手段から無線送信する処理と、
前記取得要求情報により前記第２の無線通信手段で無線受信した前記設定情報に基づいて前記無線ＬＡＮに接続するための設定を行う処理と、
をコンピュータに実行させることを特徴とするプログラム。
【図面の簡単な説明】
【００７６】
【図１】図１は、本発明が適用される無線通信システムの構成例を示す図である。
【図２】図２は、携帯電話端末での無線ＬＡＮへの設定動作を含むフローチャートである。
【図３】図３（Ａ）はビーコンパケットの例を示し、図３（Ｂ）はパラメータ格納部に格納されたパラメータの例を示す。
【図４】図４は、無線通信システムの他の構成例を示す図である。
【符号の説明】
【００７７】
１・・・無線通信システム、１０・・・携帯電話端末、１２・・・無線ＬＡＮ制御部、１４・・・携帯電話網制御部、１５・・・簡易設定部、２０・・・無線ＬＡＮアクセスポイント、２２・・・無線ＬＡＮ、３３・・・携帯電話網、４０・・・情報サーバ、４１・・・パラメータ格納部
【図１】
2006332863.tif 000003
【図２】
2006332863.tif 000004
【図３】
2006332863.tif 000005
【図４】
2006332863.tif 000006